(57)【要約】【課題】  比較的簡単な構成で２次電池の充電時間を短縮できるようにすることを目的とする。【解決手段】  出力直流電圧を検出する電圧検出手段１３，１４と、この電圧検出手段１３，１４よりの検出電圧と第１の基準電圧１６との第１の誤差信号を得る誤差電圧検出手段１５と、この誤差電圧検出手段１５の第１の誤差信号により出力直流電圧を一定とする定電圧制御手段５，６と、負荷電流を検出する電流検出手段１２と、この電流検出手段１２よりの電流検出信号に応じた電圧と第２の基準電圧２２との第２の誤差信号を得る誤差電流検出手段２０と、この誤差電流検出手段２０の第２の誤差信号によりこの負荷電流を一定にするようにした定電流制御手段５，６とを有する２次電池を内蔵した電子機器の電源回路であって、この第１及び第２の誤差信号を比較手段３０により比較し、この比較手段３０の比較出力に応じて、この定電圧制御手段５，６は出力直流電圧が定常の定電圧Ｖ0１に負荷電流Ｉ0 による電圧降下Ｖｄ分を加算した電圧Ｖ0１＋Ｖｄになるようにしたものである。【選択図】        図１
2005312134.tif 000002
【特許請求の範囲】
【請求項１】
出力直流電圧を検出する電圧検出手段と、該電圧検出手段よりの検出電圧と第１の基準電圧との第１の誤差信号を得る誤差電圧検出手段と、該誤差電圧検出手段の第１の誤差信号により出力直流電圧を一定とする定電圧制御手段と、
負荷電流を検出する電流検出手段と、該電流検出手段よりの電流検出信号に応じた電圧と第２の基準電圧との第２の誤差信号を得る誤差電流検出手段と、該誤差電流検出手段の第２の誤差信号により前記負荷電流を一定にするようにした定電流制御手段とを有する２次電池を内蔵した電子機器の電源回路であって、
前記第１及び第２の誤差信号を比較手段により比較し、該比較手段の比較出力に応じて、前記定電圧制御手段は出力直流電圧が定常の定電圧に前記負荷電流による電圧降下分を加算した電圧になるようにしたことを特徴とする２次電池を内蔵した電子機器の電源回路。
【請求項２】
請求項１記載の２次電池を内蔵した電子機器の電源回路において、
前記比較手段の比較出力に応じて前記電圧検出手段の検出電圧を前記電圧降下に対応する分小さくしたことを特徴とする２次電池を内蔵した電子機器の電源回路。
【請求項３】
請求項１記載の２次電池を内蔵した電子機器の電源回路において、前記比較手段の比較出力に応じて前記電圧検出手段の第１の基準電圧を前記電圧降下に対応する分大きくしたことを特徴とする２次電池を内蔵した電子機器の電源回路。
【発明の詳細な説明】
【技術分野】
【０００１】
本発明はカムコーダ等に適用して好適な、２次電池を内蔵した電子機器の電源回路に関する。
【背景技術】
【０００２】
従来カムコーダ等の２次電池を内蔵した電子機器の電源回路として図５に示す如きものが提案されている。図５において、１は商用電源が供給される電源プラグを示し、この電源プラグ１に供給される商用電源を入力フィルタ２を介して整流回路３に供給する。
【０００３】
この整流回路３の出力側に得られる直流電圧Ｖｉｎをトランス４の一次巻線４ａを介してスイッチング素子を構成するｎｐｎ形トランジスタ５のコレクタに供給する。このトランジスタ５のエミッタを接地し、このトランジスタ５のベースに後述するパルス幅変調制御回路６よりのパルス幅変調信号を供給する如くする。また整流回路３の出力側に得られる直流電圧Ｖｉｎを起動回路を構成する抵抗器７を介してこのパルス幅変調制御回路６に供給する。
【０００４】
またトランス４の２次巻線４ｂの一端を整流回路８を構成するダイオード８ａ及び平滑用コンデンサ８ｂを介してこの２次巻線４ｂの他端に接続する。この整流回路８の出力直流電圧を内蔵した２次電池９ａを含む例えばカムコーダ等の電子機器の負荷回路９に供給する。
【０００５】
即ちダイオード８ａ及びコンデンサ８ｂの接続点をＤＣ接続コードの抵抗成分１０を介して負荷回路９の一方の電源端子に接続し、この負荷回路９の他方の電源端子をＤＣ接続コードの抵抗成分１１及び電流検出用の抵抗器１２の直列回路を介して２次巻線４ｂの他端に接続する。
【０００６】
また、整流回路８の一方の出力端即ちダイオード８ａ及びコンデンサ８ｂの接続点を出力直流電圧検出用の抵抗器１３及び１４の直列回路を介して接地し、この抵抗器１４の接地側を抵抗器１２を介して、２次巻線４ｂの他端に接続する。
【０００７】
この出力直流電圧検出用の抵抗器１３及び１４の接続中点に得られる検出電圧を誤差電圧検出手段を構成する演算増幅回路１５の反転入力端子−に供給する。またこの演算増幅回路１５の非反転入力端子＋に基準電圧発生源１６よりの基準電圧ＲＥＦ１を供給する。
【０００８】
この場合、この基準電圧発生源１６よりの基準電圧ＲＥＦ１は整流回路８の出力側に所定の定電圧Ｖ0１例えば８．４０Ｖを得る直流電圧値とする。
【０００９】
この誤差電圧検出手段を構成する演算増幅回路１５の出力側に得られる誤差信号をダイオード１７のカソードに供給する。このダイオード１７のアノードをホトカプラ１８を構成する誤差信号に応じた輝度で発光する発光ダイオード１８ａのカソードに接続し、この発光ダイオード１８ａのアノードを抵抗器１９を介して整流回路８の出力側であるダイオード８ａ及びコンデンサ８ｂの接続点に接続する。
【００１０】
このホトカプラ１８の受光ダイオード１８ｂに得られる受光信号をパルス幅変調制御回路６に供給し、この受光信号に応じて、スイッチング素子を構成するトランジスタ５のベースに供給するパルス幅変調信号のパルス幅を変調し、この演算増幅回路１５の出力側に得られる誤差信号により、整流回路８の出力側に得られる出力直流電圧を一定電圧Ｖ0１例えば８．４０Ｖにする如く制御する。この場合このパルス幅変調制御回路６よりのパルス幅変調信号の周波数を所定周波数例えば１００ｋＨｚとする。
【００１１】
また、負荷電流検出用の抵抗器（抵抗値をＲ１とする）１２の両端間に得られる、この負荷電流Ｉ0 に応じた電圧（Ｉ0 ×Ｒ１）を誤差電流検出手段を構成する演算増幅回路２０の反転入力端子−に抵抗器２１を介して供給する。また、この演算増幅回路２０の非反転入力端子＋に基準電圧発生源２２よりの基準電圧ＲＥＦ２を抵抗器２３を介して供給する如くする。
【００１２】
この場合、この基準電圧発生源２２よりの基準電圧ＲＥＦ２はこの電流検出用の抵抗器１２に流れる電流が一定電流Ｉ0 例えば１．６Ａとなる直流電圧値とする。
【００１３】
この誤差電流検出手段を構成する演算増幅回路２０の出力側に得られる誤差信号をダイオード２４のカソードに供給する。このダイオード２４のアノードをホトカプラ１８を構成する誤差信号に応じた輝度で発光する発光ダイオード１８ａのカソードに接続する。
【００１４】
また、この場合、この誤差電流検出手段を構成する演算増幅回路２０の出力側に得られる誤差信号により、トランジスタ５のベースに供給するパルス幅変調信号を制御し電流検出用の抵抗器１２に流れる負荷電流が一定電流Ｉ0 例えば１．６Ａとなる如く制御する。
【００１５】
またトランス４の３次巻線４ｃの一端を整流回路２５を構成するダイオード２５ａ及び平滑用コンデンサ２５ｂを介して接地すると共に、この３次巻線４ｃの他端を接地し、このダイオード２５ａ及びコンデンサ２５ｂの接続点に得られる直流電圧を電源としてパルス幅変調制御回路６に供給する。
【００１６】
以上述べた如く、図５に示す如き従来の２次電池を内蔵した電子機器の電源回路においては、比較的簡単な構成で演算増幅回路１５は整流回路８の出力直流電圧が所定の一定電圧Ｖ0１例えば８．４０Ｖになるように制御し、演算増幅回路２０は抵抗器１２を流れる負荷電流（出力電流）Ｉ0 が所定の一定電流例えば１．６Ａになるように制御する。
【００１７】
従って図５に示す如き２次電池を内蔵した電子機器の電源回路の出力電流対出力電圧特性は図６に示す如くである。この図５に示す如く２次電池を内蔵した電子機器においては整流回路８と２次電池９ａを含む負荷回路９との間はＤＣ接続コードで接続される場合が一般的である。このＤＣ接続コードの抵抗成分１０及び１１の抵抗値をｒｓ１及びｒｓ２とする。
【００１８】
この整流回路８よりＤＣ接続コードを経由して、２次電池９ａを含む負荷回路９へ電力を供給する場合、このＤＣ接続コードの抵抗成分１０及び１１により電圧降下Ｖｄが発生する。この電圧降下Ｖｄにつき図６の出力電流対出力電圧特性に示す。
【００１９】
整流回路８の出力直流電圧は例えば８．４０Ｖの一定電圧Ｖ0１に負荷電流例えば０Ａから１．６Ａまで制御する（図６のＣＶモード、破線参照）。ところが、ＤＣ接続コードの抵抗成分１０，１１による電圧降下Ｖｄが発生し、負荷回路９には出力直流電圧Ｖ0１よりこの電圧降下Ｖｄ分が下がった電圧例えば負荷電流（出力電流）が１．６Ａのとき出力電圧が８．２０Ｖ供給されることになる。
【００２０】
一方、負荷回路９内には２次電池９ａが組み込まれており、この２次電池９ａへの充電（本体内充電）も行われる。このときの充電特性を図７に示す。
【００２１】
この図５において、２次電池９ａに充電を行うときは定電圧（ＣＶモード）、定電流（ＣＣモード）充電を行う。即ち図７に示す如く、充電開始直後は定電流（ＣＣモード）での充電が開始され、充電が進むにつれて、図７Ａに示す如く負荷回路９内の２次電池９ａの電池電圧Ｖ0２が上昇するが、この電池電圧Ｖ0２は整流回路８の出力直流電圧Ｖ0１よりもＤＣ接続コードの抵抗成分１０，１１による電圧降下Ｖｄ分電圧が下がる。
【００２２】
従って、この２次電池９ａの充電電流Ｉ0 は図７Ｂの曲線ａに示す如くなり、充電時間Ｔ２は、この電圧降下Ｖｄがないとき（電圧降下Ｖｄのないときの充電電流Ｉｓは破線ｂに示す如くである。）の充電時間Ｔ１に比較し長くなる。
【００２３】
ところで、この充電時間Ｔ２を短くするようにした充電装置が特許文献１に提案されている。
【００２４】
この特許文献１に記載された充電装置は、接続された２次電池に対して定電圧以下の定電流で充電を行い、この２次電池の端子電圧が、この定電圧に上昇したとき、この定電流以下の定電圧で充電を行うように制御する充電装置であり、充電電流をある周期で遮断するスイッチ手段と、この充電電流の遮断時におけるこのスイッチ手段より電源側の第１の電圧及びこの２次電池側の第２の電圧の電圧差と、基準電圧とを比較する比較手段と、この充電電流の通電時にはこの第１の電圧より高い電圧に切り替え、この充電電流の遮断時にはこの第１の電圧と同一の電圧に切り替えると共に、この比較の結果に従って、充電を終了するときにはこの第１の電圧と同一の電圧に切り替える制御手段とを備えるものである。
【特許文献１】特開平１０−３２９３８号公報
【発明の開示】
【発明が解決しようとする課題】
【００２５】
然しながら、この特許文献１に記載された充電装置は充電電流をある周期で遮断するスイッチ手段、充電電流の通電時には第１の電圧より高い電圧に切り替え、この充電電流の遮断時にはこの第１の電圧と同一の電圧に切り替えると共に、比較の結果に従って充電を終了するときにはこの第１の電圧と同一の電圧に切り替える制御手段とを必要とし、構成が複雑となる不都合があった。
【００２６】
本発明は斯る点に鑑み、比較的簡単な構成で、２次電池の充電時間を短縮できるようにすることを目的とする。
【課題を解決するための手段】
【００２７】
本発明２次電池を内蔵した電子機器の電源回路は出力直流電圧を検出する電圧検出手段と、この電圧検出手段よりの検出電圧と第１の基準電圧との第１の誤差信号を得る誤差電圧検出手段と、この誤差電圧検出手段の第１の誤差信号により出力直流電圧を一定とする定電圧制御手段と、負荷電流を検出する電流検出手段と、この電流検出手段よりの電流検出信号に応じた電圧と第２の基準電圧との第２の誤差信号を得る誤差電流検出手段と、この誤差電流検出手段の第２の誤差信号によりこの負荷電流を一定にするようにした定電流制御手段とを有する２次電池を内蔵した電子機器の電源回路であって、この第１及び第２の誤差信号を比較手段により比較し、この比較手段の比較出力に応じて、この定電圧制御手段は出力直流電圧が定常の定電圧にこの負荷電流による電圧降下分を加算した電圧になるようにしたものである。
【発明の効果】
【００２８】
本発明によれば、誤差電圧検出手段の出力の第１の誤差信号と誤差電流検出手段の出力の第２の誤差信号とを比較し、この比較出力に応じて定電圧制御手段は出力直流電圧が定常の定電圧に負荷電流による電圧降下分を加算した電圧になるように制御しているので、比較的簡単な構成で２次電池の充電時間を短くすることができる。
【発明を実施するための最良の形態】
【００２９】
以下図１〜図３を参照して本発明２次電池を内蔵した電子機器の電源回路を実施するための最良の形態の例を説明する。
図１において、図５に対応する部分には同一符号を付して示す。
【００３０】
図１において、１は商用電源が供給される電源プラグを示し、この電源プラグ１に供給される商用電源を入力フィルタ２を介して整流回路３に供給する。
【００３１】
この整流回路３の出力側に得られる直流電圧Ｖｉｎをトランス４の一次巻線４ａを介してスイッチング素子を構成するｎｐｎ形トランジスタ５のコレクタに供給する。このトランジスタ５のエミッタを接地し、このトランジスタ５のベースに後述するパルス幅変調制御回路６よりのパルス幅変調信号を供給する如くする。また整流回路３の出力側に得られる直流電圧Ｖｉｎを起動回路を構成する抵抗器７を介してこのパルス幅変調制御回路６に供給し、このパルス幅変調制御回路６を起動する如くする。
【００３２】
またトランス４の２次巻線４ｂの一端を整流回路８を構成するダイオード８ａ及び平滑用コンデンサ８ｂを介してこの２次巻線４ｂの他端に接続する。この整流回路８の出力直流電圧を内蔵した２次電池９ａを含む例えばカムコーダ等の電子機器の負荷回路９に供給する。
【００３３】
即ちダイオード８ａ及びコンデンサ８ｂの接続点をＤＣ接続コードの抵抗成分１０を介して負荷回路９の一方の電源端子に接続し、この負荷回路９の他方の電源端子をＤＣ接続コードの抵抗成分１１及び電流検出用の抵抗器１２の直列回路を介して２次巻線４ｂの他端に接続する。
【００３４】
また、整流回路８の一方の出力端即ちダイオード８ａ及びコンデンサ８ｂの接続点を出力直流電圧検出用の抵抗器１３及び１４の直列回路を介して接地し、この抵抗器１４の接地側を抵抗器１２を介して、２次巻線４ｂの他端に接続する。
【００３５】
この出力直流電圧検出用の抵抗器１３及び１４の接続中点に得られる検出電圧を誤差電圧検出手段を構成する演算増幅回路１５の反転入力端子−に供給する。またこの演算増幅回路１５の非反転入力端子＋に基準電圧発生源１６よりの基準電圧ＲＥＦ１を供給する。
【００３６】
この場合、この基準電圧発生源１６よりの基準電圧ＲＥＦ１は整流回路８の出力側に所定の定電圧Ｖ0１例えば８．４０Ｖを得る直流電圧値とする。
【００３７】
この誤差電圧検出手段を構成する演算増幅回路１５の出力側に得られる誤差信号をダイオード１７のカソードに供給する。このダイオード１７のアノードをホトカプラ１８を構成する誤差信号に応じた輝度で発光する発光ダイオード１８ａのカソードに接続し、この発光ダイオード１８ａのアノードを抵抗器１９を介して整流回路８の出力側であるダイオード８ａ及びコンデンサ８ｂの接続点に接続する。
【００３８】
このホトカプラ１８の受光ダイオード１８ｂに得られる受光信号をパルス幅変調制御回路６に供給し、この受光信号に応じて、スイッチング素子を構成するトランジスタ５のベースに供給するパルス幅変調信号のパルス幅を変調し、この演算増幅回路１５の出力側に得られる誤差信号により、整流回路８の出力側に得られる出力直流電圧を一定電圧Ｖ0１例えば８．４０Ｖにする如く制御する。この場合このパルス幅変調制御回路６よりのパルス幅変調信号の周波数を所定周波数例えば１００ｋＨｚとする。
【００３９】
また、負荷電流検出用の抵抗器（抵抗値をＲ１とする）１２の両端間に得られる、この負荷電流Ｉ0 に応じた電圧（Ｉ0 ×Ｒ１）を誤差電流検出手段を構成する演算増幅回路２０の反転入力端子−に抵抗器２１を介して供給する。また、この演算増幅回路２０の非反転入力端子＋に基準電圧発生源２２よりの基準電圧ＲＥＦ２を抵抗器２３を介して供給する如くする。
【００４０】
この場合、この基準電圧発生源２２よりの基準電圧ＲＥＦ２はこの電流検出用の抵抗器１２に流れる電流が一定電流Ｉ0 例えば１．６Ａとなる直流電圧値とする。
【００４１】
この誤差電流検出手段を構成する演算増幅回路２０の出力側に得られる誤差信号をダイオード２４のカソードに供給する。このダイオード２４のアノードをホトカプラ１８を構成する誤差信号に応じた輝度で発光する発光ダイオード１８ａのカソードに接続する。
【００４２】
また、この場合、この誤差電流検出手段を構成する演算増幅回路２０の出力側に得られる誤差信号により、トランジスタ５のベースに供給するパルス幅変調信号を制御し電流検出用の抵抗器１２に流れる負荷電流が一定電流Ｉ0 例えば１．６Ａとなる如く制御する。
【００４３】
またトランス４の３次巻線４ｃの一端を整流回路２５を構成するダイオード２５ａ及び平滑用コンデンサ２５ｂを介して接地すると共に、この３次巻線４ｃの他端を接地し、このダイオード２５ａ及び平滑用コンデンサ２５ｂの接続点に得られる直流電圧を電源として、パルス幅変調制御回路６に供給する。
【００４４】
本例においては誤差電圧検出手段を構成する演算増幅回路１５の出力側に得られる誤差信号を比較手段を構成する演算増幅回路３０の反転入力端子−に供給する。また、誤差電流検出手段を構成する演算増幅回路２０の出力側に得られる誤差信号をこの比較手段を構成する演算増幅回路３０の非反転入力端子＋に供給する。
【００４５】
また、この演算増幅回路３０の出力端子を抵抗器３１を介して抵抗器１３及び１４の接続中点と演算増幅回路１５の反転入力端子−との接続点に接続する。
【００４６】
この場合、比較手段を構成する演算増幅回路３０の出力側がローレベル“０”のときは抵抗器１４と抵抗器３１とが並列接続されたこととなり、この並列接続の抵抗値Ｒ２は抵抗器１４の抵抗値Ｒ３より小さくなる。
【００４７】
この抵抗値Ｒ２の抵抗値Ｒ３より小さい値は整流回路８の出力直流電圧Ｖ0１がＤＣ接続コードの抵抗成分１０，１１による電圧降下
Ｖｄ＝Ｉ0（ｒｓ１＋ｒｓ２）
分だけ高い電圧値
Ｖ0１＋Ｖｄ
となるように制御する検出電圧となる如くする。
【００４８】
また比較手段を構成する演算増幅回路３０の出力側がハイレベル“１”のときは、演算増幅回路３０の出力側はオープンコレクタ出力となっており、抵抗器３１はオープン状態となり抵抗器１４と抵抗器３１の並列接続は無い状態となり、整流回路８の出力直流電圧がＶ0１となるように制御する検出電圧となる。
【００４９】
図１に示す如き本例の２次電池を内蔵した電子機器の電源回路において、演算増幅回路１５は整流回路８の出力直流電圧（出力電圧）が所定の一定電圧（Ｖ0１又はＶ0１＋Ｖｄ）になるように制御し、一方出力電流が増加して抵抗器１２に流れる電流量を検出し、ある一定の電流量に達すると、出力電圧制御の演算増幅回路１５の動作が電流制御の演算増幅回路２０の動作に切り替わる。演算増幅回路２０は抵抗器１２を流れる負荷電流（出力電流）Ｉ0 が所定の一定電流例えば１．６Ａになるように制御する。
【００５０】
このとき電流量を一定にすると電圧が降下するために演算増幅回路１５の出力はローレベルからハイレベルへ変化する。この結果から、演算増幅回路１５の動作中は演算増幅回路１５の出力（誤差信号）は演算増幅回路２０の出力（誤差信号）と比べて電圧が低くなり、また演算増幅回路２０の動作中は演算増幅回路２０の出力（誤差信号）は演算増幅回路１５の出力（誤差信号）に比べて電圧が低くなる。この出力電圧制御の演算増幅回路１５の動作中をＣＶモード、出力電流制御の演算増幅回路２０の動作中をＣＣモードという。
【００５１】
この図１に示す如き２次電池を内蔵した電子機器の電源回路の出力電流対出力電圧特性は図２に示す如くである。
【００５２】
この演算増幅回路１５及び２０の夫々の出力（誤差信号）を比較手段である演算増幅回路３０の出力側がハイレベル“１”のときは、演算増幅回路１５の動作中となり、定電圧制御動作（ＣＶモード）となり、この演算増幅回路３０の出力側がローレベル“０”のときは演算増幅回路２０の動作中となり、定電流制御動作（ＣＣモード）となっている。
【００５３】
この演算増幅回路３０の出力がローレベル“０”のときは抵抗器１４と抵抗器３１とが並列接続となり、この抵抗器１４及び３１の合成抵抗値Ｒ２は抵抗器１４の抵抗値Ｒ３よりも小さな抵抗値となる。
【００５４】
結果、電圧検出用の抵抗器１３及び１４の接続点から演算増幅回路１５の反転入力端子−に供給される検出電圧は減少し、このため電源回路は演算増幅回路１５により、この反転入力端子−に供給される検出電圧が上昇するように制御される。またこの演算増幅回路３０の出力がハイレベル“１”のときは抵抗器３１はオープン状態となる。
【００５５】
この図１に示す如き電源回路は電圧制御動作中は、演算増幅回路１５が動作中となり比較手段を構成する演算増幅回路３０の出力はハイレベル“１”状態となり、図２の出力特性図のＣＶモードとなって、整流回路８の出力直流電圧を定常の定電圧Ｖ0１例えば８．４０Ｖになるように制御する。
【００５６】
また、この図１に示す如き電源回路が電流制御動作中は演算増幅回路２０が動作中となり、比較手段を構成する演算増幅回路３０の出力はローレベル“０”状態となり抵抗器１４及び３１は並列接続となって整流回路８の出力直流電圧は上昇した電圧Ｖ0１＋Ｖｄに制御される。
【００５７】
本例２次電池を内蔵した電子機器の電源回路によれば負荷回路９の２次電池９ａの充電時にこのＤＣ接続コードの抵抗成分１０及び１１の抵抗値ｒｓ１及びｒｓ２例えば夫々０．１Ωとしたとき、この電圧降下Ｖｄは
Ｖｄ＝（ｒｓ１＋ｒｓ２）×Ｉ0
例えばＶｄ＝（０．１Ω＋０．１Ω）×１．６Ａ＝０．３２Ｖ
となる。
【００５８】
図２によればＣＶモード時は整流回路８の出力直流電圧を一定電圧Ｖ0１例えば８．４０Ｖになる如く制御し、ＣＣモード時はこの整流回路８の出力直流電圧を電圧Ｖ0１＋Ｖｄ例えば８．４０Ｖ＋０．３２Ｖ＝８．７２Ｖになる如く制御する（図３Ａ参照）。
【００５９】
図３に、この負荷回路９の２次電池９ａを充電したときの充電特性を示す。これによると、放電された２次電池９ａの充電は充電開始時、定電流制御（ＣＣモード）で充電されて、図３Ｂに示す如く充電が進むにつれ、２次電池９ａの電池電圧Ｖ0２も上昇する。
【００６０】
この場合本例においては、整流回路８の出力直流電圧が
Ｖ0１＋Ｖｄ例えば８．７２Ｖになる如く電圧制御される。よって、図３Ａに示す如く定電流制御（ＣＣモード）から定電圧制御（ＣＶモード）へ切り替わる直前まで、この整流回路８の出力直流電圧がＶ0１＋Ｖｄ例えば８．７２Ｖになるように電圧制御し、定電圧制御（ＣＶモード）へ切り替わったところで、この整流回路８の出力直流電圧が一定電圧Ｖ0１例えば８．４０Ｖになるように電圧制御する。
【００６１】
従って本例によれば充電時間は図３Ｃの曲線ｃに示す如く、充電電流値である一定の収束電流値で従来例と比較すれば従来時間Ｔ２例えば１．５時間に対し、本例電源回路による充電時間Ｔ３ではＤＣ接続コードの抵抗成分１０，１１による電圧降下Ｖｄのないときと同じ充電時間Ｔ１例えば１時間と充電時間を短縮することができる。
【００６２】
本例によれば、誤差電圧検出手段を構成する演算増幅回路１５の出力の誤差信号と誤差電流検出手段を構成する演算増幅回路２０の出力の誤差信号とを比較し、この比較出力に応じて定電圧制御手段は出力直流電圧が定常の定電圧Ｖ0１に負荷電流Ｉ0 による電圧降下Ｖｄ分を加算した電圧Ｖ0１＋Ｖｄになるように制御しているので、比較的簡単な構成で２次電池９ａの充電時間を短縮することができる。
【００６３】
また、図４は本発明を実施するための最良の形態の他の例を示す。この図４例は基準電圧ＲＥＦ１を定電流制御動作中と定電圧制御動作中とで変えるようにしたものである。この図４につき説明するに図１に対応する部分には同一符号を付し、その詳細説明は省略する。
【００６４】
この図４例においては、図１において基準電圧発生源１６を設けずに、比較手段を構成する演算増幅回路３０の出力端子をスイッチを構成するｐｎｐ形トランジスタ３２のベースに接続し、このトランジスタ３２のエミッタを抵抗器３３を介して整流回路８のダイオード８ａ及びコンデンサ８ｂの接続点に接続し、この抵抗器３３及びトランジスタ３２のエミッタとの接続点をシャントレギュレータを構成するツェナーダイオード３４のカソードに接続し、このツェナーダイオード３４のアノードを接地する。
【００６５】
またこのトランジスタ３２のエミッタを分圧用の抵抗器３５及び３６の直列回路を介して接地し、このトランジスタ３２のコレクタを抵抗器３７を介して、この抵抗器３５及び３６の接続中点に接続し、この抵抗器３５及び３６の接続中点を演算増幅回路１５の非反転入力端子＋に接続し、その他は図１と同様に構成したものである。
【００６６】
この場合、演算増幅回路３０の出力側がハイレベル“１”のときはトランジスタ３２がオフとなり、ツェナーダイオード３４による定電圧が抵抗器３５及び３６で分圧された第１の基準電圧ＲＥＦ３が、この演算増幅回路１５の非反転入力端子＋に供給される。
【００６７】
またこの演算増幅回路３０の出力側がローレベル“０”のときはトランジスタ３２がオンとなり、抵抗器３５及び３７の並列回路の合成抵抗値と抵抗器３６とによるツェナーダイオード３４による定電圧の分圧が第２の基準電圧ＲＥＦ４として、この演算増幅回路１５の非反転入力端子＋に供給される。
【００６８】
このときの抵抗器３５及び３７の並列回路の合成抵抗値Ｒ４は抵抗器３５の抵抗値Ｒ５より小さくなるので、第１の基準電圧ＲＥＦ３は第２の基準電圧ＲＥＦ４より小さくなる。
【００６９】
本例においては、この第１の基準電圧ＲＥＦ３の値は、この第１の基準電圧ＲＥＦ３が供給されたとき、整流回路８の出力直流電圧がある定常の定電圧Ｖ0１になるように制御する電圧とし、この第２の基準電圧ＲＥＦ４の値は、この第２の基準電圧ＲＥＦ４が演算増幅回路１５の非反転入力端子＋に供給されたとき、整流回路８の出力直流電圧がこの定常の定電圧Ｖ0１にＤＣ接続コードの抵抗成分１０，１１による電圧降下Ｖｄを加算した定電圧（Ｖ0１＋Ｖｄ）になるように制御する電圧とする。
【００７０】
斯る図４例の電源回路においても、電圧制御動作中は、演算増幅回路１５が動作中となり比較手段を構成する演算増幅回路３０の出力はハイレベル“１”状態となり、トランジスタ３２はオフで基準電圧は第１の基準電圧ＲＥＦ３となり図２の出力特性図のＣＶモードとなって、整流回路８の出力直流電圧を定常の定電圧Ｖ0１例えば８．４０Ｖになるように制御する。
【００７１】
また、この図４例の電源回路が電流制御動作中は演算増幅回路２０が動作中となり比較手段を構成する演算増幅回路３０の出力はローレベル“０”状態となり、トランジスタ３２はオンで基準電圧は第２の基準電圧ＲＥＦ４となり、図２の出力特性図のＣＣモードとなって、整流回路８の出力直流電圧は上昇した電圧Ｖ0１＋Ｖｄに制御される。
【００７２】
従って図４例においても、図１例と同様の作用効果が得られることは容易に理解できよう。
【００７３】
尚本発明は上述例に限ることなく、本発明の要旨を逸脱することなく、その他種々の構成が採り得ることは勿論である。
【図面の簡単な説明】
【００７４】
【図１】本発明２次電池を内蔵した電子機器の電源回路を実施するための最良の形態の例を示す構成図である。
【図２】本発明の説明に供する線図である。
【図３】本発明の説明に供する線図である。
【図４】本発明を実施するための最良の形態の他の例を示す構成図である。
【図５】従来の２次電池を内蔵した電子機器の電源回路の例を示す構成図である。
【図６】図５の説明に供する線図である。
【図７】図５の説明に供する線図である。
【符号の説明】
【００７５】
１‥‥電源プラグ、２‥‥入力フィルタ、３，８，２５‥‥整流回路、４‥‥トランス、５‥‥トランジスタ、６‥‥パルス幅変調制御回路、９‥‥負荷回路、９ａ‥‥２次電池、１０，１１‥‥ＤＣ接続ケーブルの抵抗成分、１２，１３，１４，１９，３１‥‥抵抗器、１５，２０，３０‥‥演算増幅回路、１６，２１‥‥基準電圧発生源、１７，２４‥‥ダイオード、１８‥‥ホトカプラ
【図１】
2005312134.tif 000003
【図２】
2005312134.tif 000004
【図３】
2005312134.tif 000005
【図４】
2005312134.tif 000006
【図５】
2005312134.tif 000007
【図６】
2005312134.tif 000008
【図７】
2005312134.tif 000009